(57)【特許請求の範囲】
【請求項１】
検索クエリを受付ける、検索クエリ受付部と、
複数の事象それぞれを、当該事象の原因及び関連する数値データと紐付けて登録するデータベースから、前記検索クエリと一致又は類似する事象又は原因を特定し、特定した事象又は原因に関連している数値データを抽出する、数値データ抽出部と、
抽出された前記数値データに対して、統計処理を行って統計値を算出する、統計処理実行部と、
統計処理の結果に基づいて、抽出された前記数値データのうち互いに類似している複数の数値データを特定する、類似データ特定部と、
特定された前記複数の数値データの統計値と、特定された前記複数の数値データが関連している前記事象又は原因とを、少なくとも提示する、情報提示部と、
を備えている、ことを特徴とする統計分析装置。
【請求項２】
前記統計処理実行部が、統計処理によって、前記数値データに対して、最新値、積算値、値が連続する範囲、変化率、変化量、最大値、最小値、及び最古値のうち、いずれか１つ又は２つ以上を算出する、
請求項１に記載の統計分析装置。
【請求項３】
前記数値データ抽出部が、前記データベースから、抽出した数値データと取得時期において共通している別の数値データを更に抽出し、
前記統計処理実行部が、前記別の数値データに対しても、統計値を算出し、
前記類似データ特定部が、抽出された前記数値データに、前記別の数値データも加えて、互いに類似している複数の数値データを特定する、
請求項１または２に記載の統計分析装置。
【請求項４】
前記事象が、農作物の栽培過程において農作物に生じている事象である、
請求項１〜３のいずれかに記載の統計分析装置。
【請求項５】
コンピュータが実行する方法であって、
（ａ）検索クエリを受付ける、ステップと、
（ｂ）複数の事象それぞれを、当該事象の原因及び関連する数値データと紐付けて登録するデータベースから、前記検索クエリと一致又は類似する事象又は原因を特定し、特定した事象又は原因に関連している数値データを抽出する、ステップと、
（ｃ）抽出された前記数値データに対して、統計処理を行って統計値を算出する、ステップと、
（ｄ）統計処理の結果に基づいて、抽出された前記数値データのうち互いに類似している複数の数値データを特定する、ステップと、
（ｅ）特定された前記複数の数値データの統計値と、特定された前記複数の数値データが関連している前記事象又は原因とを、少なくとも提示する、ステップと、
を有する、ことを特徴とする統計分析方法。
【請求項６】
前記（ｃ）のステップにおいて、統計処理によって、前記数値データに対して、最新値、積算値、値が連続する範囲、変化率、変化量、最大値、最小値、及び最古値のうち、いずれか１つ又は２つ以上を算出する、
請求項５に記載の統計分析方法。
【請求項７】
前記（ｂ）のステップにおいて、前記データベースから、抽出した数値データと取得時期において共通している別の数値データを更に抽出し、
前記（ｃ）のステップにおいて、前記別の数値データに対しても、統計値を算出し、
前記（ｄ）のステップにおいて、抽出された前記数値データに、前記別の数値データも加えて、互いに類似している複数の数値データを特定する、
請求項５または６に記載の統計分析方法。
【請求項８】
前記事象が、農作物の栽培過程において農作物に生じている事象である、
請求項５〜７のいずれかに記載の統計分析方法。
【請求項９】
コンピュータに、
（ａ）検索クエリを受付ける、ステップと、
（ｂ）複数の事象それぞれを、当該事象の原因及び関連する数値データと紐付けて登録するデータベースから、前記検索クエリと一致又は類似する事象又は原因を特定し、特定した事象又は原因に関連している数値データを抽出する、ステップと、
（ｃ）抽出された前記数値データに対して、統計処理を行って統計値を算出する、ステップと、
（ｄ）統計処理の結果に基づいて、抽出された前記数値データのうち互いに類似している複数の数値データを特定する、ステップと、
（ｅ）特定された前記複数の数値データの統計値と、特定された前記複数の数値データが関連している前記事象又は原因とを、少なくとも提示する、ステップと、
を実行させるプログラム。
【請求項１０】
前記（ｃ）のステップにおいて、統計処理によって、前記数値データに対して、最新値、積算値、値が連続する範囲、変化率、変化量、最大値、最小値、及び最古値のうち、いずれか１つ又は２つ以上を算出する、
請求項９に記載のプログラム。
【請求項１１】
前記（ｂ）のステップにおいて、前記データベースから、抽出した数値データと取得時期において共通している別の数値データを更に抽出し、
前記（ｃ）のステップにおいて、前記別の数値データに対しても、統計値を算出し、
前記（ｄ）のステップにおいて、抽出された前記数値データに、前記別の数値データも加えて、互いに類似している複数の数値データを特定する、
請求項９または１０に記載のプログラム。
【請求項１２】
前記事象が、農作物の栽培過程において農作物に生じている事象である、
請求項９〜１１のいずれかに記載のプログラム。
【発明の詳細な説明】
【技術分野】
【０００１】
本発明は、農業分野において蓄積されたデータを分析するための、統計分析装置、統計分析方法、及びこれらを実現するためのプログラムに関する。
【背景技術】
【０００２】
一般に、農産物の生産は、生産者の経験と、経験に裏打ちされた勘とに基づいて行なわれており、経験の浅い生産者が、安定的に農産物を生産することは困難である。一方、我国では、経験豊富な生産者の高齢化が進んでいることから、経験の少ない生産者が短期間で安定的に農産物を生産できるようになることが求められている。
【０００３】
このため、近年、農業分野においては、ＩＴ技術を活用することによって、生産者を支援する試みが行なわれている。例えば、特許文献１及び非特許文献１は、湿度センサ、温度センサ、照度センサ等の各種センサからのセンサデータに基づいて、農作物の生育状態をモニタリングし、異常が生じた場合にアラートを出力するシステムを提案している。このようなシステムによれば、経験の少ない生産者であっても、適切な農作業を実行できるので、安定的に農産物を生産できる。
【先行技術文献】
【特許文献】
【０００４】
【特許文献１】特開２００２−２９７６９０号公報
【非特許文献】
【０００５】
【非特許文献１】株式会社協和エクシオ、「農業ＩＣＴソリューション」、［online］、協和エクシオ  ネットワークインテグレーション、［平成２８年２月１日検索］、インターネット＜URL:https://www.exeo.co.jp/jigyou/ns/pdf/nougyou_sh.pdf＞
【発明の概要】
【発明が解決しようとする課題】
【０００６】
しかしながら、上述の特許文献１及び非特許文献１に開示されたシステムでは、アラートの設定はヒトによって行われている。このため、これらのシステムには、必要なアラートを漏れなく設定することが難しいという問題点がある。
【０００７】
本発明の目的の一例は、上記問題を解消し、現場での作業工程で得られたデータを分析することによって、アラートの設定を支援し得る、統計分析装置、統計分析方法、及びプログラムを提供することにある。
【課題を解決するための手段】
【０００８】
上記目的を達成するため、本発明の一側面における統計分析装置は、
検索クエリを受付ける、検索クエリ受付部と、
複数の事象それぞれを、当該事象の原因及び関連する数値データと紐付けて登録するデータベースから、前記検索クエリと一致又は類似する事象又は原因を特定し、特定した事象又は原因に関連している数値データを抽出する、数値データ抽出部と、
抽出された前記数値データに対して、統計処理を行って統計値を算出する、統計処理実行部と、
統計処理の結果に基づいて、抽出された前記数値データのうち互いに類似している複数の数値データを特定する、類似データ特定部と、
特定された前記複数の数値データの統計値と、特定された前記複数の数値データが関連している前記事象又は原因とを、少なくとも提示する、情報提示部と、
を備えている、ことを特徴とする。
【０００９】
また、上記目的を達成するため、本発明の一側面における統計分析方法は、
（ａ）検索クエリを受付ける、ステップと、
（ｂ）複数の事象それぞれを、当該事象の原因及び関連する数値データと紐付けて登録するデータベースから、前記検索クエリと一致又は類似する事象又は原因を特定し、特定した事象又は原因に関連している数値データを抽出する、ステップと、
（ｃ）抽出された前記数値データに対して、統計処理を行って統計値を算出する、ステップと、
（ｄ）統計処理の結果に基づいて、抽出された前記数値データのうち互いに類似している複数の数値データを特定する、ステップと、
（ｅ）特定された前記複数の数値データの統計値と、特定された前記複数の数値データが関連している前記事象又は原因とを、少なくとも提示する、ステップと、
を有する、ことを特徴とする。
【００１０】
更に、上記目的を達成するため、本発明の一側面におけるプログラムは、
コンピュータに、
（ａ）検索クエリを受付ける、ステップと、
（ｂ）複数の事象それぞれを、当該事象の原因及び関連する数値データと紐付けて登録するデータベースから、前記検索クエリと一致又は類似する事象又は原因を特定し、特定した事象又は原因に関連している数値データを抽出する、ステップと、
（ｃ）抽出された前記数値データに対して、統計処理を行って統計値を算出する、ステップと、
（ｄ）統計処理の結果に基づいて、抽出された前記数値データのうち互いに類似している複数の数値データを特定する、ステップと、
（ｅ）特定された前記複数の数値データの統計値と、特定された前記複数の数値データが関連している前記事象又は原因とを、少なくとも提示する、ステップと、
を実行させることを特徴とする。
【発明の効果】
【００１１】
以上のように、本発明によれば、現場での作業工程で得られたデータを分析することによって、アラートの設定を支援することができる。
【図面の簡単な説明】
【００１２】
【図１】図１は、本発明の実施の形態における統計分析装置の概略構成を示すブロック図である。
【図２】図２は、本発明の実施の形態における統計分析装置の具体的構成を示すブロック図である。
【図３】図３は、本発明の実施の形態においてデータベースに登録されているデータの一例を示す図である。
【図４】図４は、本発明の実施の形態においてデータベースに登録されている数値データの一例を示す図である。
【図５】図５は、類似する複数の数値データの特定方法の具体例を示す図であり、図５（ａ）は、統計値の具体例を示し、図５（ｂ）〜（ｄ）は一連の計算過程を示している。
【図６】図６は、本発明の実施の形態において端末装置の画面の一例を示す図である。
【図７】図７は、本発明の実施の形態における統計分析装置の動作を示すフロー図である。
【図８】図８は、本発明の実施の形態における統計処理装置を実現するコンピュータの一例を示すブロック図である。
【発明を実施するための形態】
【００１３】
（実施の形態）
以下、本発明の実施の形態における、統計分析装置、統計分析方法、及びプログラムについて、図１〜図８を参照しながら説明する。
【００１４】
［装置構成］
最初に、本実施の形態における統計分析装置の構成について図１を用いて説明する。図１は、本発明の実施の形態における統計分析装置の概略構成を示すブロック図である。
【００１５】
図１に示す本実施の形態における統計分析装置１０は、データベース２０に蓄積されているデータを分析して、ユーザによるアラートの設定を支援する装置である。データベース２０は、複数の事象それぞれを、各事象の原因及び関連する数値データと紐付けて登録している。
【００１６】
図１に示すように、統計分析装置１０は、検索クエリ受付部１１と、数値データ抽出部１２と、統計処理実行部１３と、類似データ特定部１４と、情報提示部１５とを備えている。
【００１７】
検索クエリ受付部１１は、検索クエリを受付ける。数値データ抽出部１２は、データベース２０から、検索クエリと一致又は類似する事象又は原因を特定し、特定した事象又は原因に関連している数値データを抽出する。
【００１８】
統計処理実行部１３は、抽出された数値データに対して、統計処理を行って統計値を算出する。類似データ特定部１４は、統計処理の結果に基づいて、抽出された数値データのうち互いに類似している複数の数値データを特定する。情報提示部１５は、特定された複数の数値データの統計値と、特定された複数の数値データが関連している事象又は原因とを、少なくとも提示する。
【００１９】
このように、本実施の形態では、一定の類似範囲にある数値データが特定され、この数値データと関連している事象又は原因が提示されるので、ユーザは、注意すべき状況を簡単に把握でき、有効なアラートを設定できる。つまり、本実施の形態によれば、現場での作業工程で得られたデータを分析することによって、アラートの設定を支援することができる。
【００２０】
続いて、図２及び図３を用いて、本実施の形態における統計分析装置の具体的構成について説明する。図２は、本発明の実施の形態における統計分析装置の具体的構成を示すブロック図である。
【００２１】
まず、本実施の形態は、農業分野に適用されている。図２に示すように、本実施の形態では、統計分析装置１０は、ネットワーク４０を介して、農産物の生産者の端末装置３０に接続されている。また、検索クエリは、端末装置３０上で生産者によって入力され、その後、端末装置３０から送信される。検索クエリ受付部１１は、本実施の形態では、端末装置３０から送信されてきた検索クエリを受付ける。
【００２２】
データベース２０は、本実施の形態では、統計分析装置１０に接続されている。ここで、図３及び図４を用いて、データベース２０の具体例について説明する。図３は、本発明の実施の形態においてデータベースに登録されているデータの一例を示す図である。図４は、本発明の実施の形態においてデータベースに登録されている数値データの一例を示す図である。
【００２３】
図３に示すように、本実施の形態１では、データベース２０は、生産者によって入力された事象毎に、事象に対して生産者が行なった対処、事象の原因、及び対象の結果を関連付けて登録している。また、データベース２０は、一部の事象及び原因については、関連する数値データも登録している。また、本実施の形態において、事象は、農作物の栽培過程において農作物に生じている事象である。
【００２４】
図４に示すように、数値データとしては、例えば、特定の時間帯における気温データが挙げられる。また、図４に示している例以外にも、数値データとしては、湿度データ、雨量データ、灌水量データ、日射量データ、収穫段、茎径、葉の全長、葉の全幅等も挙げられる。
【００２５】
数値データ抽出部１２は、本実施の形態では、例えば、検索クエリが「温度」であるとすると、データベース２０から、原因が「温度」となっている行又は「温度」と類似している行（例えば、原因が「高温」となっている行）を特定する。なお、類似の判定は、予め用意されている類似語辞書を用いて行うことができる。
【００２６】
更に、数値データ抽出部１２は、特定した行のうち数値データが紐付けられている行を特定し、そしてこの行に紐付けられている数値データを抽出する。図３の例であれば、数値データ抽出部１２は、図４に示す数値データ１〜３を抽出する。
【００２７】
統計処理実行部１３は、本実施の形態では、統計処理によって、数値データに対して、最新値、積算値、値が連続する範囲、変化率、変化量、最大値、最小値、及び最古値のうち、いずれか１つ又は２つ以上を算出する。
【００２８】
ここで、最新値とは、数値データが時間の変化に応じて値が変化する場合における最新の値である。例えば、数値データが特定の時間帯における気温データであるとすると、時間帯の最新の時点での気温が最新値となる。
【００２９】
積算値とは、数値データが時間の変化に応じて値が変化する場合において、値を積算することで得られた値である。例えば、数値データが特定の時間帯における１分毎の気温データであるとすると、１分毎の気温を積算して得られた値が積算値となる。
【００３０】
値が連続する範囲とは、数値データにおいて、値が一定の幅に収まっている範囲である。また、値が連続する範囲には、この範囲での最大値及び最小値（一定の幅の上限値及び下限値）が含まれていても良い。
【００３１】
変化率とは、数値データが時間の変化に応じて値が変化する場合において、特定の範囲における単位時間当りの変化率、例えば、最小値から最大値へと増加する際の単位時間当りの増加率、又は最大値から最小値へと低下する際の単位時間当りの低下率である。
【００３２】
変化量とは、数値データが時間の変化に応じて値が変化する場合において、最小値から最大値へと増加する際の単位時間当りの増加量、又は最大値から最小値へと低下する際の単位時間当りの減少量である。
【００３３】
最大値とは、数値データが時間の変化に応じて値が変化する場合の最大値である。最小値とは、数値データが時間の変化に応じて値が変化する場合の最小値である。最古値とは、数値データが時間の変化に応じて値が変化する場合における最も古い値である。
【００３４】
類似データ特定部１４は、算出された統計値を用いて、抽出された数値データの中から、互いに類似する数値データの組を特定する。また、本実施の形態において類似しているかどうかの判断は、算出対象となる複数の数値データそれぞれの統計値間の距離を求めることによって、更には、既存の類似関係を求める手法を用いることによって行うことができる。距離の求め方としては、ユークリッド距離、標準化（平均）ユークリッド距離、マハラノビス距離、マンハッタン距離、チェビシェフ距離、ミンコフスキー距離等が挙げられる。また、類似関係を求める手法としては、ウォード法、群平均法、最短距離法、最長距離法、メディアン法、重心法、可変法等が挙げられる。
【００３５】
図５を用いて類似する算出データの組の特定の仕方について説明する。図５は、類似する複数の数値データの特定方法の具体例を示す図であり、図５（ａ）は、統計値の具体例を示し、図５（ｂ）〜（ｄ）は一連の計算過程を示している。図５（ａ）に示すように、数値データとして、特定の時間帯における気温データＡ〜Ｅが抽出され、統計値として最大値が算出されたとする。また、各気温データの最大値は、それぞれ、３２℃、３０℃、４０℃、２９℃、５℃である。
【００３６】
この場合、ユークリッド距離Ｌは、下記の数１によって算出することができ、結果、図５（ｂ）に示す通りとなる。また、数１は１次元のため、ユークリッド距離Ｌは、引き算の絶対値と同一となる。なお、下記の数１において、ｘ、ｙは、各気温データの最大値である。
【００３７】
【数１】
0006705591.tif 000002
【００３８】
数１によるユークリッド距離の計算結果は、図５（ｂ）に示す通りである。次に、図５（ｃ）に示すように、ユークリッド距離Ｌのうち、閾値未満となる場合については、対応する項目が結合され、結合された項目において平均値が算出される。そして、この状態で、数１を用いて、改めてユークリッド距離Ｌが計算される。また、再計算によってもまだ閾値未満となるユークリッド距離Ｌが存在するので、更に、同様の計算が実行される。これにより、図５（ｄ）に示すように、閾値未満のユークリッド距離は存在しなくなる。この結果、気温データＡ、Ｂ、Ｄは類似していると判断される。
【００３９】
情報提示部１５は、本実施の形態では、例えば、互いに類似している複数の数値データそれぞれの統計値を特定する。そして、情報提示部１５は、検索クエリを入力した生産者の端末装置３０に、類似している複数の数値データと、特定した統計値と、各数値データが関連している事象又は原因とを送信し、これらを画面上に表示させる。なお、情報提示部１５は、数値データが関連しているのが事象のみである場合に、データベース２０に登録されている同じ行の原因も端末装置３０に送信しても良い。逆の場合も同様である。
【００４０】
図６を用いて端末装置３０の画面の具体例について説明する。図６は、本発明の実施の形態において端末装置の画面の一例を示す図である。図６の例では、生産者の端末装置３０の画面上には、気温データの変化率の類似度が高い４つの気温データが表示されている。また、図６の例では、気温データに加えて、変化率、事象、及び原因も送信されており、これらも表示されている。生産者は、画面に表示された各データを確認することで、適切なアラートを設定することができる。例えば、生産者は、変化率がＡ％となり、気温の最大値がＢ℃を超えたときを条件として、アラートを設定する。
【００４１】
［装置動作］
次に、本発明の実施の形態における統計分析装置１０の動作について図７を用いて説明する。図７は、本発明の実施の形態における統計分析装置の動作を示すフロー図である。以下の説明においては、適宜図１〜図６を参酌する。また、本実施の形態では、統計分析装置を動作させることによって、統計分析方法が実施される。よって、本実施の形態における統計分析方法の説明は、以下の統計分析装置の動作説明に代える。
【００４２】
最初に、図７に示すように、検索クエリ受付部１１は、端末装置３０から送信されてきた検索クエリを受付ける（ステップＡ１）。また、検索クエリ受付部１１は、受付けた検索クエリを数値データ抽出部１２に入力する。
【００４３】
次に、数値データ抽出部１２は、データベース２０から、検索クエリと一致又は類似する事象又は原因を特定する（ステップＡ２）。更に、数値データ抽出部１２は、ステップＡ２で特定した事象又は原因に関連している数値データを抽出する（ステップＡ３）。
【００４４】
次に、統計処理実行部１３は、ステップＡ３で抽出された数値データに対して、統計処理を実行する（ステップＡ４）。具体的には、統計処理実行部１３は、ステップＡ３で抽出された数値データに対して、最新値、積算値、値が連続する範囲、変化率、変化量、最大値、最小値、及び最古値のうち、いずれか１つ又は２つ以上を算出する。
【００４５】
次に、類似データ特定部１４は、ステップＡ４で算出された統計値を用いて、ステップＡ３で抽出された数値データの中から互いに類似する複数の数値データを特定する（ステップＡ５）。具体的には、ステップＡ５では、類似データ特定部１４は、図５（ａ）〜（ｄ）を用いて説明したように、ユークリッド距離Ｌを算出する。
【００４６】
次に、情報提示部１５は、ステップＡ５で特定した複数の数値データそれぞれの統計値を特定する（ステップＡ６）。ステップＡ６では、情報提示部１５は、複数の数値データそれぞれが関連している事象又は原因も特定する。そして、情報提示部１５は、ステップＡ６で特定した統計値及び数値データと、この数値データ関連している事象又は原因とを、提示する（ステップＡ７）。具体的には、情報提示部１５は、ステップＡ６で特定した統計値及び数値データと、この数値データ関連している事象又は原因とを、検索クエリを入力した端末装置３０に送信し、これらをその画面上に表示させる。
【００４７】
［実施の形態における効果］
以上のように本実施の形態では、検索クエリに関係する数値データが抽出され、これらは、統計値に基づいて、類似しているかどうか判断され、一定の類似範囲にある数値データについて、統計値、関連する事象及び原因のユーザ（生産者）への提示が行われる。このため、本実施の形態によれば、生産者は、経験が浅くとも、通常であれば見逃してしまうような状況を把握することができる。つまり、通常、経験の浅い生産者は、経験の長い生産者に比べて、農作物の状況を正確に把握できないため、最適なアラートを設定するのが難しいが、本実施の形態であれば、経験の浅い生産者であっても、農作物の状況を正確に把握できるので、最適なアラートを設定できる。また、本実施の形態は、農業分野以外にも、プラントシステムの運用、鉄鋼炉の制御、各種機械のメンテナンス等のアラートの設定が必要な各種の分野に有用である。
【００４８】
［変形例］
ここで、本実施の形態における変形例について説明する。本変形例においては、数値データ抽出部１２は、データベース２０から、最初に抽出した数値データと取得時期において共通している別の数値データを抽出する。具体的には、数値データ抽出部１２は、最初に抽出した数値データが、１２月２５日の１０：００−１１：００の間の気温データであるとすると、同じ日時の同じ時間帯における別の数値データ（日射量データ、湿度データ等）も抽出する。
【００４９】
この場合、統計処理実行部１３は、新たに抽出された別の数値データに対しても、統計値を算出する。更に、類似データ特定部１４は、最初に抽出された数値データに、新たに抽出された別の数値データも加えて、互いに類似している複数の数値データを特定する。
【００５０】
このように、本変形例によれば、検索クエリから抽出できる数値データだけでなく、それに関連している可能性がある数値データも新たに抽出され、この新たな数値データも用いて、統計処理、類似度合の算出処理が行われる。このため、本変形例によれば、生産者は、農作物の状況をよりいっそう正確に把握できる。
【００５１】
［プログラム］
本実施の形態におけるプログラムは、コンピュータに、図７に示すステップＡ１〜Ａ７を実行させるプログラムであれば良い。このプログラムをコンピュータにインストールし、実行することによって、本実施の形態における統計分析装置と統計分析方法とを実現することができる。この場合、コンピュータのＣＰＵ（Central Processing Unit）は、検索クエリ受付部１１、数値データ抽出部１２、統計処理実行部１３、類似データ特定部１４、及び情報提示部１５として機能し、処理を行なう。
【００５２】
また、本実施の形態におけるプログラムは、複数のコンピュータによって構築されたコンピュータシステムによって実行されても良い。この場合は、例えば、各コンピュータが、それぞれ、検索クエリ受付部１１、数値データ抽出部１２、統計処理実行部１３、類似データ特定部１４、及び情報提示部１５のいずれかとして機能しても良い。
【００５３】
［物理構成］
ここで、本実施の形態におけるプログラムを実行することによって、統計処理装置１０を実現するコンピュータについて図８を用いて説明する。図８は、本発明の実施の形態における統計処理装置を実現するコンピュータの一例を示すブロック図である。
【００５４】
図８に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００５５】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００５６】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００５７】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００５８】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【産業上の利用可能性】
【００５９】
以上のように、本発明によれば、現場での作業工程で得られたデータを分析することによって、アラートの設定を支援することができる。本発明は、アラートの設定が必要な各種分野に有用である。
【符号の説明】
【００６０】
１０  統計分析装置
１１  検索クエリ受付部
１２  数値データ抽出部
１３  統計処理実行部
１４  類似データ特定部
１５  情報提示部
２０  データベース
３０  端末装置
４０  ネットワーク
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
0006705591.tif 000003
【図２】
0006705591.tif 000004
【図３】
0006705591.tif 000005
【図４】
0006705591.tif 000006
【図５】
0006705591.tif 000007
【図６】
0006705591.tif 000008
【図７】
0006705591.tif 000009
【図８】
0006705591.tif 000010